(57)【要約】  無線通信ネットワークのネットワークノードが実行する、エンハンスド物理下りリンク制御チャネル（ｅＰＤＣＣＨ）をユーザ端末（ＵＥ）へ伝達するための方法が提供される。方法は、設定メッセージをＵＥへ送信する（６０６）ことを含む。設定メッセージは、ｅＰＤＣＣＨの、第１の種類の信号に用いられるリソースエレメントと異なる第１のｅＰＤＣＣＨのセットに属するリソースエレメントへの第１のマッピングの表示を含む。方法は、さらに、ｅＰＤＣＣＨの、第２の種類の信号に用いられるリソースエレメントと異なる第２のｅＰＤＣＣＨのセットに属するリソースエレメントへの第２のマッピングの表示を含み、それにより、ｅＰＤＣＣＨを、第１のｅＰＤＣＣＨのセット又は第２のｅＰＤＣＣＨのセットのリソースエレメントへ動的にマッピングすることが可能となる。さらに、ネットワークノードとＵＥとの間でｅＰＤＣＣＨを通信するための、方法、ＵＥ、及びコンピュータプログラムが提供される。
2015530846.tif 000002
【特許請求の範囲】
【請求項１】
無線通信ネットワークのネットワークノードによって実行される、エンハンスド物理下りリンク制御チャネル（ｅＰＤＣＣＨ）をユーザ端末（ＵＥ）へ伝えるための方法であって、
設定メッセージを前記ＵＥへ送信する（６０６）ことを含み、
前記設定メッセージは、第１のｅＰＤＣＣＨのセットに属するリソースエレメントへの前記ｅＰＤＣＣＨの第１のマッピングの表示と、第２のｅＰＤＣＣＨのセットに属するリソースエレメントへの前記ｅＰＤＣＣＨの第２のマッピングの表示とを含み、
前記第１のｅＰＤＣＣＨのセットの前記リソースエレメントは、第１の種類の信号に用いられるリソースエレメントと異なり、
前記第２のｅＰＤＣＣＨのセットの前記リソースエレメントは、第２の種類の信号に用いられるリソースエレメントと異なり、それにより、前記第１のｅＰＤＣＣＨのセットまたは前記第２のｅＰＤＣＣＨのセットの前記リソースエレメントへのｅＰＤＣＣＨへの動的なマッピングを可能とする、
ことを特徴とする方法。
【請求項２】
前記第１のｅＰＤＣＣＨのセットに属するリソースエレメントへの前記ｅＰＤＣＣＨの前記第１のマッピングを実行し（６０２）、
前記第２のｅＰＤＣＣＨのセットに属するリソースエレメントへの前記ｅＰＤＣＣＨの前記第２のマッピングを実行する（６０４）、
ことをさらに含むことを特徴とする請求項１に記載の方法。
【請求項３】
前記設定メッセージは、前記第１のｅＰＤＣＣＨのセットのためのｅＰＤＣＣＨスタートシンボルの表示と前記第２のｅＰＤＣＣＨのセットのためのｅＰＤＣＣＨスタートシンボルの表示とを含む、
ことを特徴とする請求項１又は２に記載の方法。
【請求項４】
表示される前記ｅＰＤＣＣＨスタートシンボルは、前記ネットワークノードによって送信されるべきパケットデータ共有チャネル（ＰＤＳＣＨ）のためにスケジューリングされたのと同一のスタートシンボルである、
ことを特徴とする請求項３に記載の方法。
【請求項５】
セル固有参照信号（ＣＲＳ）アンテナポートの数、ＣＲＳの周波数シフト、スタート位置、マルチキャスト／ブロードキャスト単一周波数ネットワーク（ＭＢＳＦＮ）サブフレーム設定、ゼロ電力チャネル状態情報参照信号（ＣＳＩ−ＲＳ）リソース設定ＣＳＩ−ＲＳリソース設定のうちの１つ以上の設定パラメータが、前記ｅＰＤＣＣＨとパケットデータ共有チャネル（ＰＤＳＣＨ）との間で共有される、
ことを特徴とする請求項１から４のいずれか１項に記載の方法。
【請求項６】
基準にしたがって、前記第１のｅＰＤＣＣＨのセット又は前記第２のｅＰＤＣＣＨのセットのうちの１つを、前記ｅＰＤＣＣＨの前記ＵＥへの伝送のために選択し（６０８）、
前記選択されたセットに応じて前記ｅＰＤＣＣＨをリソースエレメントへ割り当て（６１０）、
割り当てられた前記ｅＰＤＣＣＨを前記ＵＥへ送信する（６１２）、
ことをさらに含むことを特徴とする請求項１から５のいずれか１項に記載の方法。
【請求項７】
前記第１の種類の信号は、第１のネットワークノード（１１０）からの信号であり、前記第２の種類の信号は、第２のネットワークノード（１３０）からの信号であり、前記選択の基準は、前記第１のネットワークノードからの信号と前記第２のネットワークノードからの信号とのいずれが、最も高い強度を有するかである、
ことを特徴とする請求項６に記載の方法。
【請求項８】
前記第１のネットワークノード（１１０）は前記方法を実行するノードであり、前記第２のネットワークノード（１３０）は干渉ネットワークノードである、
ことを特徴とする請求項７に記載の方法。
【請求項９】
前記第１の種類の信号と前記第２の種類の信号は、セル固有参照信号（ＣＲＳ）である、
ことを特徴とする請求項１から８のいずれか１項に記載の方法。
【請求項１０】
前記第１のｅＰＤＣＣＨのセットのリソースエレメントは上りリンクのグラントの情報を含み、前記第２のｅＰＤＣＣＨのセットのリソースエレメントは下りリンクの割り当ての情報を含む、
ことを特徴とする請求項１から９のいずれか１項に記載の方法。
【請求項１１】
前記設定メッセージは、無線リソース制御（ＲＲＣ）メッセージにおいて送信される（６０６）、
ことを特徴とする請求項１から１０のいずれか１項に記載の方法。
【請求項１２】
エンハンスド物理下りリンク制御チャネル（ｅＰＤＣＣＨ）を、ユーザ端末（ＵＥ）へ伝えるように構成された、無線通信ネットワークのネットワークノード（７００）であって、
設定メッセージを前記ＵＥへ送信する送信手段（７０２）を含み、
前記設定メッセージは、第１のｅＰＤＣＣＨのセットに属するリソースエレメントへの前記ｅＰＤＣＣＨの第１のマッピングの表示と、第２のｅＰＤＣＣＨのセットに属するリソースエレメントへの前記ｅＰＤＣＣＨの第２のマッピングの表示とを含み、
前記第１のｅＰＤＣＣＨのセットの前記リソースエレメントは、第１の種類の信号に用いられるリソースエレメントと異なり、
前記第２のｅＰＤＣＣＨのセットの前記リソースエレメントは、第２の種類の信号に用いられるリソースエレメントと異なり、それにより、前記第１のｅＰＤＣＣＨのセットまたは前記第２のｅＰＤＣＣＨのセットの前記リソースエレメントへのｅＰＤＣＣＨへの動的なマッピングを可能とする、
ことを特徴とするネットワークノード。
【請求項１３】
前記第１のｅＰＤＣＣＨのセットに属するリソースエレメントへの前記ｅＰＤＣＣＨの前記第１のマッピングを実行し、前記第２のｅＰＤＣＣＨのセットに属するリソースエレメントへの前記ｅＰＤＣＣＨの前記第２のマッピングを実行するための実行手段（７０４）をさらに有する、
ことを特徴とする請求項１２に記載のネットワークノード。
【請求項１４】
前記設定メッセージは、前記第１のｅＰＤＣＣＨのセットのためのｅＰＤＣＣＨスタートシンボルの表示と前記第２のｅＰＤＣＣＨのセットのためのｅＰＤＣＣＨスタートシンボルの表示とを含む、
ことを特徴とする請求項１２又は１３に記載のネットワークノード。
【請求項１５】
表示される前記ｅＰＤＣＣＨスタートシンボルは、前記ネットワークノードによって送信されるべきパケットデータ共有チャネル（ＰＤＳＣＨ）のためにスケジューリングされたのと同一のスタートシンボルである、
ことを特徴とする請求項１４に記載のネットワークノード。
【請求項１６】
セル固有参照信号（ＣＲＳ）アンテナポートの数、ＣＲＳの周波数シフト、スタート位置、マルチキャスト／ブロードキャスト単一周波数ネットワーク（ＭＢＳＦＮ）サブフレーム設定、ゼロ電力チャネル状態情報参照信号（ＣＳＩ−ＲＳ）リソース設定ＣＳＩ−ＲＳリソース設定のうちの１つ以上の設定パラメータが、前記ｅＰＤＣＣＨとパケットデータ共有チャネル（ＰＤＳＣＨ）との間で共有される、
ことを特徴とする請求項１２から１５のいずれか１項に記載のネットワークノード。
【請求項１７】
基準にしたがって、前記第１のｅＰＤＣＣＨのセット又は前記第２のｅＰＤＣＣＨのセットのうちの１つを、前記ｅＰＤＣＣＨの前記ＵＥへの伝送のために選択する選択手段（７０６）と、
前記選択されたセットに応じて前記ｅＰＤＣＣＨをリソースエレメントへ割り当てる割当手段（７０８）と、
をさらに有し、
前記送信手段（７０２）は、さらに、割り当てられた前記ｅＰＤＣＣＨを前記ＵＥへ送信するように構成される、
ことを特徴とする請求項１２から１６のいずれか１項に記載のネットワークノード。
【請求項１８】
前記第１の種類の信号は、第１のネットワークノード（１１０）からの信号であり、前記第２の種類の信号は、第２のネットワークノード（１３０）からの信号であり、前記選択の基準は、前記第１のネットワークノードからの信号と前記第２のネットワークノードからの信号とのいずれが、最も高い強度を有するかである、
ことを特徴とする請求項１７に記載のネットワークノード。
【請求項１９】
ネットワークノード（７００）において実行されるときに前記ネットワークノード（７００）に、ＵＥへ設定メッセージを送信する工程を実行させるコンピュータ可読コード手段を有するコンピュータプログラム（８１０）であって、
前記設定メッセージは、第１のｅＰＤＣＣＨのセットに属するリソースエレメントへの前記ｅＰＤＣＣＨの第１のマッピングの表示と、第２のｅＰＤＣＣＨのセットに属するリソースエレメントへの前記ｅＰＤＣＣＨの第２のマッピングの表示とを含み、
前記第１のｅＰＤＣＣＨのセットの前記リソースエレメントは、第１の種類の信号に用いられるリソースエレメントと異なり、
前記第２のｅＰＤＣＣＨのセットの前記リソースエレメントは、第２の種類の信号に用いられるリソースエレメントと異なり、それにより、前記第１のｅＰＤＣＣＨのセットまたは前記第２のｅＰＤＣＣＨのセットの前記リソースエレメントへのｅＰＤＣＣＨへの動的なマッピングを可能とする、
ことを特徴とするコンピュータプログラム。
【請求項２０】
コンピュータ可読媒体と前記コンピュータ可読媒体に記憶された請求項１９に記載のコンピュータプログラム（８１０）とを含むコンピュータプログラム媒体。
【請求項２１】
無線通信ネットワークにおけるユーザ端末（ＵＥ）（１０００）によって実行される、ネットワークノードとエンハンスド物理下りリンク制御チャネル（ｅＰＤＣＣＨ）を通信するための方法であって、
前記ネットワークノードから設定メッセージを受信すること（９０２）を含み、
前記設定メッセージは、第１のｅＰＤＣＣＨのセットに属するリソースエレメントへの前記ｅＰＤＣＣＨの第１のマッピングの表示と、第２のｅＰＤＣＣＨのセットに属するリソースエレメントへの前記ｅＰＤＣＣＨの第２のマッピングの表示とを含み、
前記第１のｅＰＤＣＣＨのセットの前記リソースエレメントは、第１の種類の信号に用いられるリソースエレメントと異なり、
前記第２のｅＰＤＣＣＨのセットの前記リソースエレメントは、第２の種類の信号に用いられるリソースエレメントと異なる、
ことを特徴とする方法。
【請求項２２】
前記設定メッセージは、前記第１のｅＰＤＣＣＨのセットのためのｅＰＤＣＣＨスタートシンボルの表示と前記第２のｅＰＤＣＣＨのセットのためのｅＰＤＣＣＨスタートシンボルの表示とを含む、
ことを特徴とする請求項２１に記載の方法。
【請求項２３】
表示される前記ｅＰＤＣＣＨスタートシンボルは、前記ネットワークノードによって送信されるべきパケットデータ共有チャネル（ＰＤＳＣＨ）のためにスケジューリングされたのと同一のスタートシンボルである、
ことを特徴とする請求項２２に記載の方法。
【請求項２４】
セル固有参照信号（ＣＲＳ）アンテナポートの数、ＣＲＳの周波数シフト、スタート位置、マルチキャスト／ブロードキャスト単一周波数ネットワーク（ＭＢＳＦＮ）サブフレーム設定、ゼロ電力チャネル状態情報参照信号（ＣＳＩ−ＲＳ）リソース設定ＣＳＩ−ＲＳリソース設定のうちの１つ以上の設定パラメータが、前記ｅＰＤＣＣＨとパケットデータ共有チャネル（ＰＤＳＣＨ）との間で共有される、
ことを特徴とする請求項２１から２３のいずれか１項に記載の方法。
【請求項２５】
前記ネットワークノードから、前記第１のｅＰＤＣＣＨのセットと前記第２のｅＰＤＣＣＨのセットのうちの選択された１つに対して割り当てられた前記ｅＰＤＣＣＨを含むメッセージを受信し（９０４）、
前記第１のマッピングによるｅＰＤＣＣＨの候補を復号し、前記第２のマッピングによるｅＰＤＣＣＨの候補を復号し（９０６）、
前記第１のｅＰＤＣＣＨのセットと前記第２のｅＰＤＣＣＨのセットとのいずれに前記ｅＰＤＣＣＨが割り当てられたかを検出する（９０８）、
ことをさらに含むことを特徴とする請求項２１から２４のいずれか１項に記載の方法。
【請求項２６】
前記第１のｅＰＤＣＣＨの前記リソースエレメントは上りリンクのグラントの情報を含み、前記第２のｅＰＤＣＣＨの前記リソースエレメントは下りリンクの割り当ての情報を含む、
ことを特徴とする請求項２１から２５のいずれか１項に記載の方法。
【請求項２７】
前記設定メッセージは、無線リソース制御（ＲＲＣ）メッセージにおいて受信される（９０２）、
ことを特徴とする請求項２１から２６のいずれか１項に記載の方法。
【請求項２８】
ネットワークノードとエンハンスド物理下りリンク制御チャネル（ｅＰＤＣＣＨ）を通信するように構成された、無線通信ネットワークにおけるユーザ端末（ＵＥ）（１０００）であって、
前記ネットワークノードから設定メッセージを受信する受信手段（１００２）を有し、
前記設定メッセージは、第１のｅＰＤＣＣＨのセットに属するリソースエレメントへの前記ｅＰＤＣＣＨの第１のマッピングの表示と、第２のｅＰＤＣＣＨのセットに属するリソースエレメントへの前記ｅＰＤＣＣＨの第２のマッピングの表示とを含み、
前記第１のｅＰＤＣＣＨのセットの前記リソースエレメントは、第１の種類の信号に用いられるリソースエレメントと異なり、
前記第２のｅＰＤＣＣＨのセットの前記リソースエレメントは、第２の種類の信号に用いられるリソースエレメントと異なる、
ことを特徴とするユーザ端末。
【請求項２９】
前記設定メッセージは、前記第１のｅＰＤＣＣＨのセットのためのｅＰＤＣＣＨスタートシンボルの表示と前記第２のｅＰＤＣＣＨのセットのためのｅＰＤＣＣＨスタートシンボルの表示とを含む、
ことを特徴とする請求項２８に記載のユーザ端末。
【請求項３０】
表示される前記ｅＰＤＣＣＨスタートシンボルは、前記ネットワークノードによって送信されるべきパケットデータ共有チャネル（ＰＤＳＣＨ）のためにスケジューリングされたのと同一のスタートシンボルである、
ことを特徴とする請求項２９に記載のユーザ端末。
【請求項３１】
セル固有参照信号（ＣＲＳ）アンテナポートの数、ＣＲＳの周波数シフト、スタート位置、マルチキャスト／ブロードキャスト単一周波数ネットワーク（ＭＢＳＦＮ）サブフレーム設定、ゼロ電力チャネル状態情報参照信号（ＣＳＩ−ＲＳ）リソース設定ＣＳＩ−ＲＳリソース設定のうちの１つ以上の設定パラメータが、前記ｅＰＤＣＣＨとパケットデータ共有チャネル（ＰＤＳＣＨ）との間で共有される、
ことを特徴とする請求項２８から３０のいずれか１項に記載のユーザ端末。
【請求項３２】
前記受信手段（１００２）は、さらに、前記ネットワークノードから、前記第１のｅＰＤＣＣＨのセットと前記第２のｅＰＤＣＣＨのセットのうちの選択された１つに対して割り当てられた前記ｅＰＤＣＣＨを含むメッセージを受信するように構成され、
前記ユーザ端末（１０００）は、さらに、
前記第１のマッピングによるｅＰＤＣＣＨの候補を復号し、前記第２のマッピングによるｅＰＤＣＣＨの候補を復号する復号手段（１００４）と、
前記第１のｅＰＤＣＣＨのセットと前記第２のｅＰＤＣＣＨのセットとのいずれに前記ｅＰＤＣＣＨが割り当てられたかを検出する検出手段（１００６）と、
をさらに有することを特徴とする請求項２８から３１のいずれか１項に記載のユーザ端末。
【請求項３３】
前記第１のｅＰＤＣＣＨの前記リソースエレメントは上りリンクのグラントの情報を含み、前記第２のｅＰＤＣＣＨの前記リソースエレメントは下りリンクの割り当ての情報を含む、
ことを特徴とする請求項２８から３２のいずれか１項に記載のユーザ端末。
【請求項３４】
前記受信手段（１００２）は、無線リソース制御（ＲＲＣ）メッセージにおいて前記設定メッセージを受信するようにさらに構成される、
ことを特徴とする請求項２８から３３のいずれか１項に記載のユーザ端末。
【請求項３５】
ユーザ端末（ＵＥ）（１０００）において実行されるときに前記ＵＥ（１０００）に、ネットワークノードから設定メッセージを受信する工程を実行させるコンピュータ可読コード手段を有するコンピュータプログラム（１１１０）であって、
前記設定メッセージは、第１のｅＰＤＣＣＨのセットに属するリソースエレメントへの前記ｅＰＤＣＣＨの第１のマッピングの表示と、第２のｅＰＤＣＣＨのセットに属するリソースエレメントへの前記ｅＰＤＣＣＨの第２のマッピングの表示とを含み、
前記第１のｅＰＤＣＣＨのセットの前記リソースエレメントは、第１の種類の信号に用いられるリソースエレメントと異なり、
前記第２のｅＰＤＣＣＨのセットの前記リソースエレメントは、第２の種類の信号に用いられるリソースエレメントと異なる、
ことを特徴とするコンピュータプログラム。
【請求項３６】
コンピュータ可読媒体と前記コンピュータ可読媒体に記憶された請求項３５に記載のコンピュータプログラム（１１１０）とを含むコンピュータプログラム媒体。
【発明の詳細な説明】
【技術分野】
【０００１】
本開示は、一般に、エンハンスド物理下りリンク制御チャネル（ｅＰＤＣＣＨ）をユーザ端末（ＵＥ）に伝えるための、ネットワークノードによって実行される方法及びネットワークノードに関する。また、本開示は、ネットワークノードとｅＰＤＣＣＨを通信するための、ＵＥによって実行される方法及びＵＥに関する。さらに、本開示は、ネットワークノード又はＵＥにおいて実行され、そのネットワークノード又はＵＥに上述の方法を実行させるコンピュータプログラム及びコンピュータプログラム媒体に関する。
【背景技術】
【０００２】
３ＧＰＰのロングタームエボリューション（ＬＴＥ）技術は、ｅＮＢと呼ばれる基地局から、ユーザ端末（ＵＥ）と呼ばれる移動局への送信信号が直交周波数分割多重（ＯＦＤＭ）を用いて送られる、移動体ブロードバンド無線通信技術である。ＯＦＤＭは、信号を周波数における多数の並列のサブキャリアに分割する。ＬＴＥにおける伝送の基本単位は、そのもっとも一般的な構成において、１２本のサブキャリア及び７個のＯＦＤＭシンボルからなり、１スロットと同一である、リソースブロック（ＲＢ）である。１本のサブキャリア及び１個のＯＦＤＭシンボルの単位は、リソースエレメント（ＲＥ）と呼ばれる。このように、ＲＢは、８４個のＲＥからなる。ＬＴＥ無線サブフレームは、システムの帯域幅を決めるＲＢの数の周波数における多数のリソースブロックと、時間における２つのスロットとからなる。さらに、サブフレームにおける時間において隣接する２つのＲＢは、ＲＢペアと表される。時間領域において、ＬＴＥ下りリンク伝送は、１０ｍｓの無線フレームに編成され、各無線フレームは、長さがＴｓｕｂｆｒａｍｅ＝１ｍｓの１０個の等しいサイズのサブフレームからなる。
【０００３】
下りリンク（ｅＮＢからＵＥへの送信信号を運ぶリンク）サブフレームにおいてｅＮＢによって送信される信号は、複数のアンテナから送信されてもよく、その信号は、複数のアンテナを有するＵＥにおいて受信されうる。無線チャネルは、多数のアンテナポートからの送信信号を歪ませる。下りリンクにおける何らかの送信信号を復調するために、ＵＥは、下りリンクで送信される参照シンボル（ＲＳ）を信頼する。これらの参照シンボルおよび時間周波数グリッドにおけるその位置は、ＵＥに知られており、したがって、これらのシンボルにおける無線チャネルの影響を測定することにより、チャネル推定値を決定するのに用いられうる。
【０００４】
無線リンクを介してユーザへ送信されるメッセージは、概して、制御メッセージと制御メッセージとに分類することができる。制御メッセージは、システムの適切な運用及びシステム内の各ＵＥの適切な運用を促進するのに用いられる。制御メッセージは、ＵＥからの送信電力、データがＵＥによって受信されるべき又はＵＥから送信されるべき対象となるＲＢのシグナリングなどの機能を、制御するためのコマンドを含みうる。
【０００５】
ＬＴＥのＲｅｌ−８では、その設定に応じて、サブフレーム内の１つめから４つ目のＯＦＤＭシンボルは、このような制御情報を含むために予約されている。さらにＬＴＥのＲｅｌ−１１では、エンハンスド物理下りリンク制御チャネル（ｅＰＤＣＣＨ）が導入され、Ｒｅｌ−１１より前のリリースのＵＥに対する制御情報を含みうる１番目から４番目のシンボルが除かれるが、ｅＰＤＣＣＨ伝送を排他的に含むためにＰＲＢペアが予約されている。図１は、１０個のＲＢペアの下りリンクサブフレームを示している。本サブフレームは、それぞれ１個のＰＲＢペアの（黒でマークされている）３つのｅＰＤＣＣＨ領域を伴って構成されている。残りのＰＲＢペアは、ＰＤＳＣＨ伝送に使用されうる。
【０００６】
したがって、ｅＰＤＣＣＨは、データメッセージ、すなわち、パケットデータ共有チャネル（ＰＤＳＣＨ）伝送と時間多重される物理下りリンク制御チャネル（ＰＤＣＣＨ）とは異なり、ＰＤＳＣＨと周波数多重される。なお、ＰＲＢペア内のＰＤＳＣＨ及び任意のｅＰＤＣＣＨ伝送の多重は、ＬＴＥのＲｅｌ−１１においてサポートされていない。
【０００７】
さらに、局所又は分散ｅＰＤＣＣＨ伝送という２つのｅＰＤＣＣＨ伝送のモードがサポートされている。
【０００８】
分散伝送では、ｅＰＤＣＣＨは、Ｎ個（Ｎ＝２、４又は８）のＰＲＢペアを含むＥＰＤＣＣＨセット内のリソースエレメントにマッピングされる。この方法では、ｅＰＤＣＣＨメッセージに対する周波数ダイバーシティを得ることができる。図２は、ｅＰＤＣＣＨに属する４つの部分を伴う下りリンクサブフレームを示している。分散伝送及び周波数ダイバーシティを達成するために、ＰＲＢペアとして知られる複数のエンハンスド制御領域にその部分がマッピングされる。
【０００９】
局所伝送では、ｅＰＤＣＣＨは、スペースに余地がある場合、１つのＰＲＢペアのみにマッピングされ、その１つのＰＲＢペアは、アグリゲーションレベル１及び２に対して、そしてアグリゲーションレベル４に対しても通常のサブフレーム及び通常のサイクリックプリフィックス（ＣＰ）長に対して、常に利用可能である。ｅＰＤＣＣＨのアグリゲーションレベルが大きすぎる場合、より多くのＰＲＢペアを用いて、ｅＰＤＣＣＨに属するすべてのエンハンスド制御チャネルエレメント（ｅＣＣＥ）がマッピングされるまで、第２のＰＲＢペアなどが用いられる。図３は、局所伝送を実現するための、ｅＰＤＣＣＨに属する４つのｅＣＣＥがエンハンスド制御領域の１つにマッピングされる下りリンクサブフレームを示している。
【００１０】
ｅＣＣＥの物理リソースへのマッピングを促進するために、通常の又は拡張されたサイクリックプリフィックスのそれぞれに対して、各ＰＲＢペアは、１６個のエンハンスドリソースエレメントグループに分割され、各ｅＣＣＥは、Ｌ＝４又はＬ＝８のエンハンスドリソースエレメントグループ（ｅＲＥＧ）に分割される。結果として、アグリゲーションレベルに応じて、ｅＰＤＣＣＨは、４つ又は８つの倍数個のｅＲＥＧにマッピングされる。
【００１１】
あるｅＰＤＣＣＨに属するこれらのｅＲＥＧは、局所伝送に利用可能な単一のＰＲＢペア、又は、分散伝送に利用可能な複数のＰＲＢペアのいずれかに存在する。ＰＲＢペアのｅＲＥＧへの分割を、通常のサブフレームにおける通常のサイクリックプリフィックス設定のＰＲＢペアを示す図４に、図解する。各タイルはリソースエレメントであり、番号はそのタイルがグループ化されるｅＲＥＧの番号に対応する。０でマークされたＲＥは、０でインデックスされた同一のｅＲＥＧに属するＲＥに対応する。
【００１２】
さらに、Ｌ＝４又はＬ＝８のｅＲＥＧがそれぞれどのようにｅＣＣＥにグループ化されるかについては、非特許文献１に記載されている。
【００１３】
ｅＰＤＣＣＨリソースは、ｅＰＤＣＣＨセットを単位としてＵＥ固有に設定されうる。ｅＰＤＣＣＨセットは、取りうる値Ｎ＝２、４、８に対して１６Ｎ／Ｌ個のｅＣＣＥを含むＮ個のＰＲＢペアの集合である。ＵＥは、Ｋ＝１又はＫ＝２個のセットで同時に設定されてもよく、ここで、値Ｎは、Ｋセットのそれぞれに対して異なりうる。各セットは、局所又は分散タイプのいずれかであるように構成されてもよい。例えば、ＵＥは、Ｋ＝２、かつＮ1＝４及びＮ2＝８で設定されてもよく、このときに、第１のセットが局所伝送のために用いられ、第２のセットが分散伝送のために用いられてもよい。ブラインド復号の総数（上りリンク多入力多出力（ＭＩＭＯ）が設定されていない場合には３２）は、Ｋセット内で分割される。この分割をどのように行うかについては、非特許文献１に記載されている。したがって、ＵＥは、ｅＰＤＣＣＨセットｉにおけるＢi個のｅＰＤＣＣＨを監視するだろう。
【００１４】
各ｅＰＤＣＣＨは、ＡＬ個のｅＣＣＥからなり、ここでＡＬはメッセージのアグリゲーションレベルである。同様に、各ｅＣＣＥは、Ｌ＝４又はＬ＝８のときのＬ個のｅＲＥＧからなる。ｅＲＥＧは、非特許文献２に定義されているＲＥのグループである。各ＰＲＢペアにおいて、１６個のｅＲＥＧがある。ｅＰＤＣＣＨが自身のセルのセル固有参照信号（ＣＲＳ）又は自身のセルの従来の制御領域とマッピングにおいて衝突する場合、これらの信号が優先度を有し、ｅＰＤＣＣＨは、これらの占有されたＲＥの周囲にマッピングされ、コード・チェーン・レートマッチングが適用される。これは、ｅＲＥＧごとに実行的に利用可能なＲＥの数は、通常、９個のＲＥより少ないが、ｅＰＤＣＣＨがこれらの信号の周囲にマッピングされるため自身のセルのＣＲＳ又は自身の従来の制御領域信号からの干渉がないことを意味する。
【００１５】
共通参照信号としても知られるセル固有参照信号は、ＵＥに所定の下りリンク伝送で用いられるチャネルを測定する能力を与えるために、ＬＴＥシステムによって、周期的にブロードキャストされる。ＣＲＳは、例えば、物理ブロードキャストチャネル（ＰＢＣＨ）を復調するのに用いられるが、例えば、主としてＬＴＥのＲｅｌ−８及びＲｅｌ−９の任意のＵＥに対する通信に用いられる通信モードである伝送モード１−４に対して、ＰＤＳＣＨを復調するのにも用いられる。これらの伝送モードに対して、ＣＲＳは、改善されたリンクアダプテーション及びＭＩＭＯ下りリンク処理のためにネットワークに報告されるチャネル状態情報（ＣＳＩ）測定の目的でも利用される。ＣＲＳの他の応答は、移動性測定のためのものである。
【００１６】
セル間において、ＣＲＳは、周波数領域においてシフトしうる。これは、従来の現実のマクロノードを用いた均質な配置を含む配置において使用されることが多い。
【００１７】
異なるアンテナポートのＣＲＳは、グリッドにおいて、異なるリソースエレメントのセットにマッピングされる。さらに、ＣＲＳポートに割り当てられるすべてのリソースエレメントに対して、対応するリソースエレメントは、他の全てのアンテナポートにおいてはミュートにされ、ゼロ電力でありうる。したがって、送信アンテナポートの数が増えると共に、ＣＲＳのオーバーヘッドが増加し、それぞれ、１、２、及び４本のアンテナ、すなわちＣＲＳアンテナポートのそれぞれに対して、８、１６、及び２４個のリソースエレメントとなる。
【００１８】
同一のエンハンスド制御領域（図３の例を参照）が、セル内の又は互いに強く干渉しない異なるセルに属する異なる送信点において使用されうる。
【００１９】
異なる送信点間の干渉を低減するために、ＬＴＥＲｅｌ−１１で導入されたエンハンスドセル間干渉調整（ｅＩＣＩＣ）、又は協調マルチポイント（ＣｏＭＰ）動作などの様々な干渉調整技術が使用されうる。
【００２０】
ヘテロジニアスネットワークは、そのカバレッジエリアは部分又は全体の少なくともいずれかにおいて互いに重畳しうる、複数の低電力ネットワークノードと複数の高電力ネットワークノードとを含む。低電力ネットワークノードは、ピコノード、例えばピコｅＮＢなどの小さい領域を提供するノードである。高電力ネットワークノードは、マクロノード、例えばマクロｅＮＢなどの、上述の小さい領域より広い領域に対するカバレッジを与えるノードである。低電力ノードのＵＥがピックアップする領域（すなわち、ＵＥが高電力マクロノードではなくピコノードに接続するだろう領域）を増やすためには、高電力ノードからの受信電力が低電力ノードの受信電力を設定されたＣＲＥマージンだけ超えない限り、ＵＥが高電力ノードへのハンドオーバをするのを防ぐ、セル範囲の拡張（ＣＲＥ）が有力なツールである。これは、低電力ノードの「カバレッジエリア」を効果的に増大する。一方で、いわゆるセル範囲拡張エリア、すなわち、ＵＥが低電力ノードに接続するが、低電力ノードからの信号より強い電力で高電力ノードからの信号が受信されるエリアにおけるＵＥに対して、ネットワークがこれらのＵＥと通信するサブフレームにおいて干渉信号を高電力ノードが最小化することは有益である。
【００２１】
また一方、あるサブフレームにおいて、ＣＲＳの伝送など、高電力ノードからの全ての干渉がミュートとされうるわけではない。特に、セル範囲拡張のＵＥが、低電力ノードが送信したＣＲＳに基づいて伝搬チャネルを正確に推定することができるように、マクロノードのＣＲＳが低電力ノードのＣＲＳと衝突しないことが有益である。これは、高電力ノードと低電力ノードとの周波数における異なるＣＲＳのシフトを設定することによって確実にされうる。
【先行技術文献】
【非特許文献】
【００２２】
【非特許文献１】３ＧＰＰ  ＴＳ３６．２１３
【非特許文献２】３ＧＰＰ  ＴＳ３６．２１１
【発明の概要】
【発明が解決しようとする課題】
【００２３】
今日、ｅＰＤＣＣＨのマッピングは、ｅＰＤＣＣＨが、そのｅＰＤＣＣＨが分配されるのと同じセル、すなわちサービングセルの他の信号、例えばＣＲＳ又はＣＳＩ−ＲＳの周囲にマッピングされるように実行される。換言すれば、ｅＰＤＣＣＨによって使用されるリソースエレメント（ＲＥ）は、同一のセルの他の信号によって使用されるＲＥとは一致しない。それにより、ｅＰＤＣＣＨの、同一の、サービングセルのＣＲＳとの衝突はない。ＵＥは、どのＲＥに他の信号が置かれているかを黙示的に通知される。例として、ＣＲＳの位置は、セルＩＤによって与えられ、ＣＳＩ−ＲＳはＲＲＣプロトコルを用いてＵＥ固有のシグナリングによって与えられる。しかしながら、サービングセルによって送信されるＣＲＳ及びＣＳＩ−ＲＳによって占有されるものではないＲＥが周囲にマッピングされる必要がある、他のマッピングが必要とされうるユースケースがあることが分かっている。例えば、ＣＲＥを用いるヘテロジニアスネットワークでは、ＵＥは、ＣＲＥエリアに位置して低電力ノードに接続され、高電力ネットワークノードの信号から強い干渉を受けうる。その場合、低電力ノードのサービングセルにおけるｅＰＤＣＣＨのマッピングにおいて高電力ノードの信号を避ける必要があるが、ＵＥが低電力ノードにより近い位置にいる場合、低電力ノードからの信号が最も強く、代わりに避けられる必要がある。
【課題を解決するための手段】
【００２４】
本発明の目的は、上述の課題及び問題の少なくともいくつかに対応することである。ｅＰＤＣＣＨ信号に対する干渉を少なくすることを目的とする。別の目的は、サービングセルのＣＲＳ及びＣＳＩ−ＲＳと異なる信号からのｅＰＤＣＣＨ信号に対する干渉を少なくすることである。別の目的は、ｅＰＤＣＣＨのＲＥへの動的な割り当て／マッピングを可能とすることである。添付の独立請求項に定められるような方法、ネットワークノード、ＵＥ及びコンピュータプログラムによって、これらの目的などを達成することができる。
【００２５】
第１の態様によれば、無線通信ネットワークのネットワークノードによって実行される方法が提供される。本方法は、エンハンスド物理下りリンク制御チャネル（ｅＰＤＣＣＨ）をユーザ端末（ＵＥ）へ伝達するためのものである。本方法は、ＵＥへ設定メッセージを送信することを含む。その設定メッセージは、ｅＰＤＣＣＨの、第１のｅＰＤＣＣＨのセットに属するリソースエレメントへの第１のマッピングの表示（indication）を含み、第１のｅＰＤＣＣＨのセットのリソースエレメントは、第１の種類の信号に用いられるリソースエレメントと異なる。設定メッセージは、さらに、ｅＰＤＣＣＨの、第２のｅＰＤＣＣＨのセットに属するリソースエレメントへの第２のマッピングの表示（indication）を含み、第２のｅＰＤＣＣＨのセットのリソースエレメントは、第２の種類の信号に用いられるリソースエレメントと異なり、それにより、ｅＰＤＣＣＨの、第１のｅＰＤＣＣＨのセット又は第２のｅＰＤＣＣＨのセットのリソースエレメントへの動的なマッピングが可能となる。
【００２６】
第２の態様によれば、無線通信ネットワークのネットワークノードが提供される。本ネットワークノードは、ｅＰＤＣＣＨＵＥへ伝達するように構成される。本ネットワークノードは、設定メッセージをＵＥへ送信するための送信部を有する。その設定メッセージは、ｅＰＤＣＣＨの、第１のｅＰＤＣＣＨのセットに属するリソースエレメントへの第１のマッピングの表示（indication）を含み、第１のｅＰＤＣＣＨのセットのリソースエレメントは、第１の種類の信号に用いられるリソースエレメントと異なる。設定メッセージは、さらに、ｅＰＤＣＣＨの、第２のｅＰＤＣＣＨのセットに属するリソースエレメントへの第２のマッピングの表示（indication）を含み、第２のｅＰＤＣＣＨのセットのリソースエレメントは、第２の種類の信号に用いられるリソースエレメントと異なり、それにより、ｅＰＤＣＣＨを、第１のｅＰＤＣＣＨのセット又は第２のｅＰＤＣＣＨのセットのリソースエレメントへ動的にマッピングすることが可能となる。
【００２７】
第３の態様によれば、ネットワークノードにおいて実行されるときに、そのネットワークノードにＵＥへ設定メッセージを送信するステップを実行させるコンピュータ可読コード手段を含む、コンピュータプログラムが提供される。設定メッセージは、ｅＰＤＣＣＨの、第１のｅＰＤＣＣＨのセットに属するリソースエレメントへの第１のマッピングの表示（indication）を含み、第１のｅＰＤＣＣＨのセットのリソースエレメントは、第１の種類の信号に用いられるリソースエレメントと異なる。設定メッセージは、さらに、ｅＰＤＣＣＨの、第２のｅＰＤＣＣＨのセットに属するリソースエレメントへの第２のマッピングの表示（indication）を含み、第２のｅＰＤＣＣＨのセットのリソースエレメントは、第２の種類の信号に用いられるリソースエレメントと異なり、それにより、ｅＰＤＣＣＨを、第１のｅＰＤＣＣＨのセット又は第２のｅＰＤＣＣＨのセットのリソースエレメントへ動的にマッピングすることが可能となる。
【００２８】
第４の態様によれば、無線通信ネットワークにおけるＵＥによって実行される方法が提供される。本方法は、ネットワークノードと、ｅＰＤＣＣＨを通信するためのものである。本方法は、ネットワークノードから、設定メッセージを受信することを含む。設定メッセージは、ｅＰＤＣＣＨの、第１のｅＰＤＣＣＨのセットに属するリソースエレメントへの第１のマッピングの表示（indication）を含み、第１のｅＰＤＣＣＨのセットのリソースエレメントは、第１の種類の信号に用いられるリソースエレメントと異なる。設定メッセージは、さらに、ｅＰＤＣＣＨの、第２のｅＰＤＣＣＨのセットに属するリソースエレメントへの第２のマッピングの表示（indication）を含み、第２のｅＰＤＣＣＨのセットのリソースエレメントは、第２の種類の信号に用いられるリソースエレメントと異なる。
【００２９】
第５の態様によれば、無線通信ネットワークにおけるＵＥが提供される。本ＵＥは、ネットワークノードと、ｅＰＤＣＣＨを通信するように構成される。本ＵＥは、ネットワークノードから設定メッセージを受信するための受信部を有する。設定メッセージは、ｅＰＤＣＣＨの、第１のｅＰＤＣＣＨのセットに属するリソースエレメントへの第１のマッピングの表示（indication）を含み、第１のｅＰＤＣＣＨのセットのリソースエレメントは、第１の種類の信号に用いられるリソースエレメントと異なる。設定メッセージは、さらに、ｅＰＤＣＣＨの、第２のｅＰＤＣＣＨのセットに属するリソースエレメントへの第２のマッピングの表示（indication）を含み、第２のｅＰＤＣＣＨのセットのリソースエレメントは、第２の種類の信号に用いられるリソースエレメントと異なる。
【００３０】
第６の態様によれば、ＵＥにおいて実行されるときに、そのＵＥに、ネットワークノードから設定メッセージを受信するステップを実行させるコンピュータ可読コード手段を含む、コンピュータプログラムが提供される。設定メッセージは、ｅＰＤＣＣＨの、第１のｅＰＤＣＣＨのセットに属するリソースエレメントへの第１のマッピングの表示（indication）を含み、第１のｅＰＤＣＣＨのセットのリソースエレメントは、第１の種類の信号に用いられるリソースエレメントと異なる。設定メッセージは、さらに、ｅＰＤＣＣＨの、第２のｅＰＤＣＣＨのセットに属するリソースエレメントへの第２のマッピングの表示（indication）を含み、第２のｅＰＤＣＣＨのセットのリソースエレメントは、第２の種類の信号に用いられるリソースエレメントと異なる。
【発明の効果】
【００３１】
本ソリューションのさらなる可能な特徴及び利点は、以下の詳細な説明から明らかになるだろう。
【図面の簡単な説明】
【００３２】
ここで、本ソリューションについて、例示の実施形態を用いると共に添付の図面を参照して詳細に説明する。
【図１】下りリンクサブフレームの概略図。
【図２】下りリンクサブフレームの別の概略図。
【図３】下りリンクサブフレームの概略図。
【図４】物理リソースブロックのリソースエレメントへのマッピングのためのマッピング手法の概略図。
【図５】本発明が使用されうる例示の無線通信ネットワークの観点における概略図。
【図６】実施形態による、ネットワークノードが実行する方法のフローチャート。
【図７】実施形態による、ネットワークノードの概略ブロック図。
【図８】実施形態による、ネットワークノードにおける構成の概略ブロック図。
【図９】実施形態による、ＵＥが実行する方法のフローチャート。
【図１０】実施形態による、ＵＥの概略ブロック図。
【図１１】実施形態による、ＵＥにおける構成の概略ブロック図。
【図１２】ネットワークノードにおける方法のフローチャート。
【図１３】ＵＥにおける方法のフローチャート。
【発明を実施するための形態】
【００３３】
説明のために、本発明のいくつかの実施形態について、ロングタームエボリューション（ＬＴＥ）システム、特にキャリアアグリゲーションを利用するＬＴＥシステムの文脈で説明する。しかしながら、当業者であれば、本発明のいくつかの実施形態が、例えばＷｉＭａｘ（ＩＥＥＥ８０２．１６）システムを含む他の無線通信システムに、より一般的に適用可能でありうることを理解するだろう。
【００３４】
今日、ｅＰＤＣＣＨが、そのｅＰＤＣＣＨが分配されるのと同じセルの、すなわちサービングセルの、他の信号、例えばＣＲＳ、ＣＳＩ−ＲＳ又は従来の制御領域の周囲にマッピングされるように、ｅＰＤＣＣＨのマッピングが実行される。換言すれば、ｅＰＤＣＣＨによって使用されるリソースエレメント（ＲＥ）は、同一のセルの他の信号によって使用されるＲＥとは一致しない。それにより、ｅＰＤＣＣＨの、例えばその同一のセルの、サービングセルの、ＣＲＳとの、衝突はない。ＵＥは、他の信号がいずれのＲＥに置かれているかを黙示的に通知される。例として、ＣＲＳの位置は、セルＩＤによって与えられ、ＣＳＩ−ＲＳは、ＲＲＣプロトコルを用いたＵＥ固有のシグナリングにより与えられる。しかしながら、他のマッピングが必要となりうるユースケースがあることが分かっており、その場合、サービングセルによって送信されるＣＲＳ及びＣＳＩ−ＲＳが占有するものとは異なるＲＥが周囲にマッピングされる必要がある。例えば、ＣＲＥを用いるヘテロジニアスネットワークでは、ＵＥは、ＣＲＥエリア内に位置すると共に低電力ネットワークノードに接続され、高電力ネットワークノードの信号から強い干渉を受けうる。その場合、高電力ノードの信号を、低電力ノードのサービングセルにおけるｅＰＤＣＣＨマッピングで避ける必要がありうるが、ＵＥが低電力ノードにより近い位置にいる場合、低電力ノードからの信号が最も強く、代わりに避けられる必要がある。
【００３５】
このような状況を斟酌することを可能とするために、実施形態によれば、ｅＰＤＣＣＨは、他の信号に用いられる複数の事前設定されたセットのＲＥの中から１つの周囲にマッピングされるように、動的に選択される。ｅＰＤＣＣＨのセットを用いたＲＥマッピングに所定のｅＰＤＣＣＨを関連付けることにより、マッピングの動的選択をできる。ＵＥが、両方のセットにおけるｅＰＤＣＣＨの候補を監視するため、ｅＮｏｄｅＢは、ｅＰＤＣＣＨ伝送のための対応するｅＰＤＣＣＨのセットを選択することにより、マッピングを選択することができる。ｅＰＤＣＣＨのセットは、ｅＰＤＣＣＨ監視に用いられるリソースエレメントのグループでありうる。非特許文献１によれば、ｅＰＤＣＣＨのセットは、ｅＰＤＣＣＨ監視のために設定されたＮ＝２、４又は８の物理リソースブロック（ＰＲＢ）のグループである。サービングｅＮｏｄｅＢは、その後、いずれのｅＰＤＣＣＨのセットをｅＰＤＣＣＨ伝送のために用いるべきかを選択することによって、いずれのマッピングを用いるべきかを動的に決定することができる。この方法では、ｅＰＤＣＣＨは、干渉すると考えられる信号の周囲にマッピングされうる。すなわち、ｅＮｏｄｅＢは、複数のマッピングを設定し、その後、ＵＥがｅＰＤＣＣＨのためにどこを聞くかを知るように、様々なマッピング設定をＵＥへ送信する。マッピング設定の情報をＵＥへ送信し、各マッピングをｅＰＤＣＣＨのセットに関連付けることにより、その時点において問題である信号の周囲のＲＥに、ｅＰＤＣＣＨを動的にマッピングし、又は割り当てることができる。
【００３６】
本発明のさらなる態様において、３つのマッピングのそれぞれは、２つ以上の異なるｅＮｏｄｅＢにおける他の信号によって使用されるＲＥのセットに対応しうる。例えば、２つのｅＮｏｄｅＢは、ＣＲＳアンテナポートとＣＲＳ周波数シフトとの少なくともいずれかにおける違いによる、異なるＣＲＳパターンを有しうる。また、従来の制御領域のサイズ（１、２、３ＯＦＤＭシンボル）は、２つのｅＮｏｄｅＢ刊で異なりうる。この構成により、第１のｅＮｏｄｅＢから送信された他の信号の周囲にマッピングする第１のｅＰＤＣＣＨのセットと、第２のｅＮｏｄｅＢから送信される他の信号の周囲にマッピングする第２のｅＰＤＣＣＨのセットとを用いて、ｅＰＤＣＣＨは、ｅＮｏｄｅＢの１つから送信されるように動的に選択されることができ、ｅＰＤＣＣＨは対応するｅＮｏｄｅＢの他の信号の周囲にそれに応じてマッピングされる。このように、各ｅＮｏｄｅＢは、本発明のこの態様における１つのｅＰＤＣＣＨのセットと関連付けられる。
【００３７】
ｅＮｏｄｅＢは、ＵＥと通信するネットワークノードの例である。
【００３８】
実施形態によれば、それ自身のセルにおいて送信される「他の」信号の代わりに、干渉セルにおいて送信される「他の」信号の、周囲へのｅＰＤＣＣＨマッピングを実行するように、ＵＥを設定することによって、近隣のセルからの干渉の影響は低減される。「他の」信号は、ＣＲＳ信号などのｅＰＤＣＣＨ信号以外の信号を意味しうる。他の実施形態によれば、ｅＰＤＣＣＨを送信するのに用いられるノードの動的切り替えは、参加するノードが様々なＣＲＳシフトを用い、又は様々なＰＤＣＣＨ制御領域サイズを有していても、実行されうる。
【００３９】
設定は、ｅＰＤＣＣＨのセットごとに実行されてもよく、ＣＲＳアンテナポートの数とその位置、例えば周波数シフトを含みうる。また、設定は、ｅＰＤＣＣＨが干渉セルからの従来の制御伝送の干渉から保護されうるように、ｅＰＤＣＣＨスタートシンボルを含みうる。
【００４０】
例示の設定は、第１のセットにおいて、ｅＰＤＣＣＨが、サービングノード（すなわち、第１のネットワークノード）からの伝送、例えばＣＲＳ伝送の周囲にマッピングされ、第２のセットにおいて、ｅＰＤＣＣＨが、干渉セル／ノード（すなわち、第２のネットワークノード）からの伝送、例えばＣＲＳ伝送の周囲にマッピングされるように構成される、Ｋ＝２のｅＰＤＣＣＨのセットでありうる。ＵＥがそのサービングノードの近くにある場合、そのサービングノードからのＣＲＳ送信電力は干渉ノードからのＣＲＳ伝送に対して支配的であり、ｅＰＤＣＣＨ伝送に第１のセットが用いられる。ＵＥが大きいＣＲＥバイアスを有する場合、すなわち、ＵＥがサービングノードからさらに遠くに位置する場合、干渉ノードからのＣＲＳ送信電力がサービングノードからのＣＲＳ送信電力に対して支配的であり、第２のセットが、代わりにｅＰＤＣＣＨ伝送に用いられうる。したがって、ｅＰＤＣＣＨは、これらの強く干渉する、干渉ノードに関連付けられたＣＲＳのＲＥの周囲にマッピングされる。ｅＰＤＣＣＨマッピングセットの言及される設定は、一般に、第１のノードからｅＰＤＣＣＨを送信することと、第２のノードからｅＰＤＣＣＨを送信することとの間で動的に切り替えるのに用いられ、説明されたヘテロジニアス配置シナリオにのみ限定されなくてもよい。
【００４１】
第１の実施形態によれば、ｅＰＤＣＣＨのセットのＲＲＣシグナリングによって実行されうるＵＥへの設定において、シグナリングは、以下のパラメータ又はｅＰＤＣＣＨ伝送のために対応するＲＥを避けることを可能とする等価パラメータの１つ以上の情報：
−ＣＲＳ信号の存在又は不存在
−ＣＲＳポートの数
−ＣＲＳ周波数シフト（ｖ＿ｓｈｉｆｔ）
−サブフレームにおけるスタートシンボル・ゼロ、すなわち、最初のシンボルを含む、サブフレームにおける、ｅＰＤＣＣＨスタートＯＦＤＭシンボル又はｅＰＤＣＣＨシンボルの数
−いずれのサブフレームが、現在のＣＲＳを有するＯＦＤＭシンボルのいずれかに影響するマルチキャスト／ブロードキャスト単一周波数ネットワーク（ＭＢＳＦＮ）サブフレームとして設定されるか
−ゼロ電力（ＺＰ）ＣＳＩ−ＲＳ設定
−非ゼロ電力（ＮＺＰ）ＣＳＩ−ＲＳ設定
を含みうる。ＯＦＤＭスタートシンボル又はｅＰＤＣＣＨスタートＯＦＤＭシンボルは、データフローにおいて、ｅＰＤＣＣＨのセットのスタート位置への参照でありうる。
【００４２】
ｅＮｏｄｅＢは、所与のサブフレームにおけるＰＲＢペアにおいてｅＰＤＣＣＨを送信する際に、上記のパラメータによって設定された信号によって用いられるＲＥが除かれているときに、残りのＲＥにｅＰＤＣＣＨをマッピングしてもよい。
【００４３】
ＵＥは、ｅＰＤＣＣＨを復調する際に、同様に、上記のパラメータによって設定された信号によって用いられるＲＥがｅＰＤＣＣＨによって用いられるＲＥから除かれているとみなしうる。
【００４４】
複数のｅＰＤＣＣＨのセットがＵＥに対して設定されるとき、各セットは、パラメータの１つ、いくつか又は全部について異なる値を有しうる。ＵＥがその設定されたｅＰＤＣＣＨのセットのそれぞれにおけるブラインド復号候補を有するため、ｅＮｏｄｅＢは、ｅＰＤＣＣＨメッセージを送信するのに用いるセットを選択することにより、ｅＰＤＣＣＨのために用いることを望むマッピングを選ぶことができる。ｅＮｏｄｅＢは、ＣＳＩ−ＲＳでの下りリンクの測定値に基づくＵＥの干渉状況の情報に基づいて、これを決定することができるだろう。したがって、ＵＥが、隣接セルからの信号、例えばＣＲＳによって強く干渉を受けている場合、ｅＰＤＣＣＨのマッピングは、サービングセル／ｅＮｏｄｅＢに代えて、隣接セル／ｅＮｏｄｅＢから送信される信号の周囲において行われる。
【００４５】
さらなる実施形態では、上述のパラメータのサブセット（又は全部）をそれぞれが含む一連の設定のセット（設定のセットのスーパーセット）は、ＵＥに対してシグナリングされる。次に、ｅＰＤＣＣＨのセットに、上述の一連の設定のセットの特定の１つが割り当てられうる。
【００４６】
またさらなる実施形態では、上述の一連の設定のセットは、データチャネル例えばＰＤＳＣＨ又は他のチャネル及びｅＰＤＣＣＨの復号／復調に関しての使用のために強要されうる。例えば、ＰＤＳＣＨのスケジューリング割り当てにおいて、ＰＤＳＣＨのための設定パラメータの上述のセットのうちの１つは、ｅＰＤＣＣＨのリソースエレメントマッピングのために示されうる。ｅＰＤＣＣＨとＰＤＳＣＨとの間の設定のスーパーセットの共有は、設定メッセージのオーバーヘッドを減らすことができるという利点を有する。ｅＰＤＣＣＨと例えばＰＤＳＣＨとの間で設定のスーパーセットが共有されることは、ＰＤＳＣＨのために使用されるのと同一の設定パラメータ値が、ｅＰＤＣＣＨのために再利用されることと解釈されてもよい。例えば、ＰＲＢペア内においてｅＰＤＣＣＨ及びＰＤＳＣＨが使用するリソースエレメントは、同一でありうる。
【００４７】
述べたように、サブフレームにおけるｅＰＤＣＣＨスタートシンボルは、ＲＲＣシグナリングによって設定されうる。各ｅＰＤＣＣＨのセットは、個別のｅＰＤＣＣＨスタートシンボルの設定を有してもよく、その地域は、値０、１、２、３及び４のいずれか又は全部でありうる。さらに、ｅＰＤＣＣＨスタートシンボルは、物理制御フォーマット表示チャネル（ＰＣＦＩＣＨ）によらなくてもよい。
【００４８】
第２の実施形態では、ネットワークは、いずれのネットワークノードからｅＰＤＣＣＨが送信されるべきかを動的に決定する。ｅＰＤＣＣＨ伝送のための候補であるネットワークノードは、異なるｅＰＤＣＣＨのセットに関連付けられてもよく、ここで、ｅＰＤＣＣＨのセットは、相互に異なるパラメータと、異なるパラメータ値との少なくともいずれかを有しうる。パラメータは、第１の実施形態に関連して述べられたパラメータのいずれかであってもよい。例えば、異なるＣＲＳ周波数シフトを有する２つのネットワークノードが候補であり、これらは、ＵＥに対して設定される異なるｅＰＤＣＣＨのセットに関連付けられる。ｅＰＤＣＣＨが第１のｅＰＤＣＣＨのセットにおいて送信されるとき、そのｅＰＤＣＣＨは、第１のネットワークノードにおいて用いられるＣＲＳの周囲にマッピングされ、ｅＰＤＣＣＨが第２のｅＰＤＣＣＨのセットにおいて送信されるとき、そのｅＰＤＣＣＨは第２のネットワークノードにおいて用いられるＣＲＳの周囲にマッピングされる。これは、ｅＰＤＣＣＨのための送信ネットワークノードの動的切り替えの１つの例である。
【００４９】
送信の動的切り替えを行うことができる対象である２つより多くののネットワークノードが存在する場合、同一のＣＲＳシフトを有するネットワークノードには、設定されるセットの数が最小化されるように、同一のｅＰＤＣＣＨのセットが割り当てられうる。
【００５０】
さらなる実施形態では、ネットワークノードの少なくとも１つは、ＣＲＳ伝送を有しない後方互換性のない新しいキャリアを用いており、少なくとも１つの他のネットワークノードは、ＣＲＳ伝送と従来の制御シグナリングを用いる後方互換性を有するキャリアを用いている。この場合、ｅＰＤＣＣＨのセットの１つにおけるｅＰＤＣＣＨのマッピングは、ＣＲＳが存在しないとみなすこととなり、ｅＰＤＣＣＨスタートシンボルは、サブフレームにおける最初のシンボルとなるだろう。他のｅＰＤＣＣＨのセットは、存在するＣＲＳ、及び第１の実施形態のようなパラメータシグナリングとセルＩＤからの導出とのいずれかに従うＣＲＳシフトを用いて、設定され、ｅＰＤＣＣＨスタートシンボルは、最初のｅＰＤＣＣＨシンボルと異なることとなり、したがって、後方互換性のあるノードに対応する。
【００５１】
第３の実施形態では、上りリンクのグラント及び下りリンクの割り当てが、異なるネットワークノードから送信され、ここで、異なるネットワークノードは、相互に異なるパラメータと異なるパラメータ値との少なくともいずれかを用いうる。パラメータは、第１の実施形態に関して述べたパラメータのいずれかでありうる。したがって、ｅＰＤＣＣＨのセットは、所与のネットワークノードに関連付けられると共に、ｅＰＤＣＣＨのＲＥへのマッピングを決定する、関連パラメータを用いて設定される。
【００５２】
したがって、上りリンクのグラントが１つのｅＰＤＣＣＨのセットにおいて送信され、下りリンクの割り当てが別のｅＰＤＣＣＨのセットにおいて送信される。これは、ｅＰＤＣＣＨに対する送信ネットワークノードの動的切り替えの別の例である。
【００５３】
共通サーチスペース（ＣＳＳ）に属するｅＰＤＣＣＨがあるｅＰＤＣＣＨのセットにおいて送信されるとき、ＵＥは、有利には、ランダムアクセス応答メッセージ、ページング、及びシステム情報などの制御信号を受信することができるように設定されていることなく、ｅＰＤＣＣＨマッピングの設定を知っている必要がある。その理由は、これらの制御信号が、第１の実施形態において挙げられたパラメータの異なる設定を有しうる複数のＵＥにブロードキャストされることである。ネットワークは、ランダムアクセス応答の場合のように、ＵＥのＩＤを知らないため、その設定を知らず、又は、アイドルモードにおけるページングの場合のように、ＵＥが全く設定されていない。したがって、デフォルトのセットのパラメータが用いられる必要がある。ＣＳＳは、ＬＴＥのＲｅｌ−１２におけるｅＰＤＣＣＨのために提案されている。
【００５４】
さらなる実施形態では、ＣＲＳに関するデフォルトのパラメータは、サービングセルのセルＩＤ及びＬＴＥのＲｅｌ−８の手順に従って物理ブロードキャストチャネル（ＰＢＣＨ）で送信されるマスター情報ブロック（ＭＩＢ）から取得される。ｅＰＤＣＣＨスタートシンボルは、デフォルト値、例えば所与のシステム帯域幅において最大値３又は４を用いるか、物理制御フォーマット表示チャネル（ＰＣＦＩＣＨ）を復号することにより得られるか、のいずれかである。ＵＥは、ＣＳＩ−ＲＳが存在しないこと、ＺＰでもＮＺＰでもないこと、及びＭＢＳＦＮサブフレームが存在しないことを想定しうる。
【００５５】
説明された実施形態の１つ以上は、ｅＰＤＣＣＨが用いられるときの制御シグナリングに対する干渉を低減する。
【００５６】
図５に、本発明を使用しうる例示の無線通信ネットワークを示す。図５は、マクロセルでありうる高電力ネットワークノードエリア１１１をカバーする高電力ネットワークノード１１０と、ピコセルでありうる低電力ネットワークノードエリア１３１をカバーする低電力ネットワークノード１３０とを含むヘテロジニアスネットワーク１００の一部を示している。低電力ネットワークノードエリア１３１は、通常、信号強度（ＳＳ）ボーダー１６０に制限される。ＳＳボーダー１６０において、高電力ネットワークノード１１０からの下りリンクＳＳは、低電力ネットワークノード１３０からの下りリンクＳＳより大きく若しくは小さく又は等しい。ＵＥ１５０は、低電力ネットワークノードエリア１３１内に位置している場合には低電力ネットワークノード１３０に接続されてもよく、低電力ネットワークノードエリア１３１の外側であるが高電力ネットワークノードエリア１１１の内側に位置する場合は高電力ネットワークノード１１０に接続されうる。低電力ネットワークノード１３０に対するセル範囲の拡張が採用されるとき、低電力ネットワークノードエリア１３１は、高電力ノードからのＳＳが、バイアス値が加えられた低電力ノードからのＳＳに等しくなるＣＲＥボーダー１７０に制限される、拡張された低電力ネットワークノードエリア１３２を含むように拡張される。ＵＥ１５０が低電力ネットワークノードエリア１３１の外の拡張された低電力ネットワークノードエリア１３２内にいる場合、そのＵＥは、低電力ノード１３０に接続され続けるが、高電力ネットワークノード１１０からの強い干渉を受ける。ＵＥが低電力ノードエリア１３１内にいる場合、ある実施形態によれば、低電力ネットワークノードからのＣＲＳなどの、低電力ネットワークノード１３０からの信号の周囲にｅＰＤＣＣＨをマッピングすることが有利でありうる。ＵＥが低電力ノードエリア１３１の外側の拡張された低電力ノードエリア１３２に存在する場合、ある実施形態によれば、ＵＥが高電力ノード１１０から、低電力ノード１３０からよりも強い干渉を受けるため、高電力ネットワークノードからのＣＲＳなどの高電力ネットワークノード１１０からの信号の周囲にｅＰＤＣＣＨをマッピングするのが有利でありうる。
【００５７】
図６において、無線通信ネットワークのネットワークノード１３０によって実行される、エンハンスド物理下りリンク制御チャネル（ｅＰＤＣＣＨ）をＵＥへ伝送するための方法の実施形態について説明する。本方法は、ＵＥへ設定メッセージを送信すること（６０６）を含む。設定メッセージは、第１のｅＰＤＣＣＨのセットに属するリソースエレメントへのｅＰＤＣＣＨの第１のマッピングの表示（indication）を含み、ここで、その第１のｅＰＤＣＣＨのセットのリソースエレメントは第１の種類の信号に用いられるリソースエレメントと異なる。設定メッセージは、さらに、第２のｅＰＤＣＣＨのセットに属するリソースエレメントへのｅＰＤＣＣＨの第２のマッピングの表示（indication）を含み、ここで、第２のｅＰＤＣＣＨのセットのリソースエレメントは、第２の種類の信号に用いられるリソースエレメントと異なる。それにより、第１の又は第２のｅＰＤＣＣＨのセットのリソースエレメントへｅＰＤＣＣＨを動的にマッピングすることが可能となる。
【００５８】
ＵＥへ２つの異なるｅＰＤＣＣＨのマッピングセットを含む設定メッセージを送信することにより、ネットワークノードが、ｅＰＤＣＣＨをＲＥに割り当てるときにいずれのｅＰＤＣＣＨのセットを用いるかを動的に選択することができる。したがって、ＵＥは、両方のｅＰＤＣＣＨのセットにおけるｅＰＤＣＣＨの候補を監視するように構成されている。それにより、ネットワークノードは、第１の及び第２の信号のいずれの周囲にマッピングされるべきか、換言すれば、第１の信号に用いられるＲＥが避けられるべきか、又は第２の信号に用いられるＲＥが避けられるべきかを動的に選択することができる。
【００５９】
表現「第１の種類の信号」は、「第１の信号」と解釈されてもよい。表現「第２の種類の信号」は「第２の信号」と解釈されてもよい。第１の種類の信号は、第２の種類の信号とは異なり、これは、第１の種類の信号が第２の種類の信号と異なる信号であることを意味する。第１の種類の信号及び第２の種類の信号は、同じ種類の信号であってもよく、例えば、両方がＣＲＳ信号であってもよいが、そのとき、それらは異なるＣＲＳ信号である。
【００６０】
第１のｅＰＤＣＣＨのセットのリソースエレメントが第１の種類の信号に用いられるリソースエレメントと異なることは、第１のｅＰＤＣＣＨのセットのリソースエレメントが第１の種類の信号に用いられるリソースエレメントと一致しないことを意味する。同様に、第２のｅＰＤＣＣＨのセットのリソースエレメントが第２の種類の信号に用いられるリソースエレメントと異なることは、第２のｅＰＤＣＣＨのセットのリソースエレメントが第２の種類の信号に用いられるリソースエレメントと一致しないことを意味する。第１の種類の信号は、ｅＰＤＣＣＨと同一のサブフレーム又は同一のＰＢＲペアにおいて送信されうる。第１の種類の信号は、ＵＥによって受信されてもよく、また、場合によってはＵＥに宛てられうる。第２の種類の信号は、ｅＰＤＣＣＨと同一のサブフレーム又は同一のＰＲＢペアにおいて送信されうる。第２の種類の信号は、ＵＥによって受信されてもよく、また、場合によってはＵＥに宛てられうる。第２の種類の信号は、第１の種類の信号と異なるとみなされてもよい。第１の種類の信号及び第２の種類の信号は、ｅＰＤＣＣＨ（信号）と異なる任意の信号又は任意の種類の信号でありうる。
【００６１】
加えて、又は代替的に、第１のｅＰＤＣＣＨのセットのリソースエレメントは、ＵＥにサービスを提供するネットワークノードから送信される第１の種類の信号に用いられるリソースエレメントと異なってもよく、第２のｅＰＤＣＣＨのセットのリソースエレメントは、隣接ネットワークノードから送信される第２の種類の信号に用いられるリソースエレメントと異なってもよい。サービングネットワークノードは、サービングセルに対するカバレッジを提供するサービングｅＮＢでありうる。隣接ネットワークノードは隣接セルに対するカバレッジを提供する隣接ｅＮＢでありうる。サービングネットワークノードおよび隣接ネットワークノードは、２つの遠隔ラジオヘッドなどの、同一のセル内の２つの送信点であってもよい。サービングネットワークノードから送信される第１の種類の信号は、ＣＲＳ信号でありうる。隣接ネットワークノードから送信される第２の種類の信号は、ＣＲＳ信号でありうる。第２の種類のＣＲＳ信号は、第１の種類のＣＲＳ信号と異なる周波数シフトを有しうる。隣接ネットワークノードは、例えば、その送信信号がＵＥにおいてサービングｅＮＢからの信号に干渉するｅＮＢでありうる。
【００６２】
実施形態によれば、第２のｅＰＤＣＣＨのセットに属する少なくとも１つのリソースエレメントは、第１のｅＰＤＣＣＨのセットに属するリソースエレメントの一部ではない。
【００６３】
実施形態によれば、本方法は、さらに、第１のｅＰＤＣＣＨのセットに属するリソースエレメントへのｅＰＤＣＣＨの第１のマッピングを実行すること（６０２）、及び、第２のｅＰＤＣＣＨのセットに属するリソースエレメントへのｅＰＤＣＣＨの第２のマッピングを実行すること（６０４）を含む。第１及び第２のマッピングを実行するステップ（６０２、６０４）は、第１及び第２のマッピングの表示を伴う設定メッセージがＵＥへ送信される前に、実行されうる。別々のネットワークノードによって、又は、設定メッセージを送信するのと同一のネットワークノードによって、マッピングが実行されうる。
【００６４】
第１の種類の信号に用いられるリソースエレメントと異なるリソースエレメントにマッピングすることにより、ｅＰＤＣＣＨが第１の種類の信号に用いられるリソースエレメントの周囲にマッピングされることとなる。
【００６５】
第２の種類の信号に用いられるリソースエレメントと異なるリソースエレメントへマッピングされるｅＰＤＣＣＨにより、第１の種類の信号に用いられるのと異なるリソースエレメントを少なくとも部分的に用いる第２の信号は、そのｅＰＤＣＣＨが第２の種類の信号に用いられるリソースエレメントの周囲にマッピングされることを意味する。代わりに、第１のｅＰＤＣＣＨのセットのマッピングは、第１のネットワークノードによって実行されることができ、第２のｅＰＤＣＣＨのセットのマッピングは第１のネットワークノードと異なる第２のネットワークノードによって実行されることができる。すなわち、ｅＰＤＣＣＨは、異なるネットワークノードから送信されうる。これは、異なるｅＰＤＣＣＨのセットの使用を通じて達成されることができ、ネットワーク、例えば、含まれるネットワークノードのいずれかは、第１のネットワークノードと第２のネットワークノードとのいずれからｅＰＤＣＣＨが送信されるべきかを、第１のｅＰＤＣＣＨのセットと第２のｅＰＤＣＣＨのセットとからｅＰＤＣＣＨのセットを選択することにより、サブフレームごとの基準で決定することができる。
【００６６】
他の実施形態によれば、設定メッセージは、第１のｅＰＤＣＣＨのセットのためのｅＰＤＣＣＨスタートシンボルの表示と、第２のｅＰＤＣＣＨのセットのためのｅＰＤＣＣＨスタートシンボルの表示とを含む。それにより、異なるｅＰＤＣＣＨのセットは、異なるｅＰＤＣＣＨスタートシンボルに割り当てられてもよく、それがｅＰＤＣＣＨのセットの動的なマッピング及び多様化を促進する。
【００６７】
さらに別の実施形態によれば、表示されたｅＰＤＣＣＨスタートシンボルは、ネットワークノードによって送信されるべきパケットデータ共有チャネル（ＰＤＳＣＨ）のためにスケジューリングされたのと同一のスタートシンボルである。ＰＤＳＣＨに対するものと同一のｅＰＤＣＣＨのスタートシンボルを用いることにより、そのための伝送オーバーヘッドが低減される設定メッセージにおいて、送信されなければならないデータが減る。
【００６８】
さらに別の実施形態によれば、セル固有参照信号（ＣＲＳ）アンテナポートの数、ＣＲＳの周波数シフト、スタート位置、マルチキャスト／ブロードキャスト単一周波数ネットワーク（ＭＢＳＦＮ）サブフレーム設定、ゼロ電力チャネル状態情報参照信号（ＣＳＩ−ＲＳ）リソース設定ＣＳＩ−ＲＳリソース設定のうちの１つ以上の設定パラメータがｅＰＤＣＣＨとパケットデータ共有チャネル（ＰＤＳＣＨ）との間で共有される。ＰＤＳＣＨのものと同一のｅＰＤＣＣＨのための設定パラメータを用いることにより、そのための送信オーバーヘッドが削減される設定メッセージにおいて、送信されなければならないデータが少なくなる。それが、ｅＰＤＣＣＨマッピングのために、ＰＤＳＣＨマッピングに対する表示又は参照を送信するのにちょうど十分でありうる。また、マッピングは、より少ないプロセッサキャパシティを用いて実行されうる。
【００６９】
「１つ以上の設定パラメータがｅＰＤＣＣＨとＰＤＳＣＨとの間で共有される」との表現は、ＰＤＳＣＨのために用いられるのと同一のパラメータ値がｅＰＤＣＣＨのために再利用されるように解釈されるべきである。例えば、あるＰＲＢペア内のｅＰＤＣＣＨ及びＰＤＳＣＨによって使用されるリソースエレメントは、同一でありうる。
【００７０】
さらに別の実施形態によれば、本方法は、さらに、ＵＥへのｅＰＤＣＣＨの送信のための第１のｅＰＤＣＣＨのセット又は第２のｅＰＤＣＣＨのセットのいずれかを、基準に従って選択すること（６０８）を含みうる。本方法は、さらに、選択されたセットに従って、ｅＰＤＣＣＨをリソースエレメントに割り当てること（６１０）を含みうる。本方法は、さらに、ＵＥに対して、割り当てられたｅＰＤＣＣＨを送信すること（６１２）を含みうる。それによって、ｅＰＤＣＣＨのセットの動的選択が実現される。
【００７１】
さらに別の実施形態によれば、第１の種類の信号は第１のネットワークノード１１０からの信号であり、第２の種類の信号は第２のネットワークノード１３０からの信号である。選択基準は、第１のネットワークノードからの信号と第２のネットワークノードからの信号とのいずれが最高の信号強度を有するかでありうる。それにより、いずれのネットワークノードの信号強度が最高であるかに応じて、２つのネットワークノードのいずれかからの信号の周囲に動的にマッピングすることができる。これは、ＣＲＥを用いるヘテロジニアスネットワークにおいて、例えば、ＵＥがＣＲＥエリア内に又はＣＲＥエリア外に移動する際に、有利でありうる。
【００７２】
別の可能性のある選択基準は、送信されるべきメッセージの種類に応じて、例えば、そのメッセージ上りリンクのグラントメッセージ又は下りリンクの割り当てメッセージであるかに応じて、第１の又は第２のｅＰＤＣＣＨのセットを選択することでありうる。例えば、ネットワークノードが第１のｅＰＤＣＣＨのセットからのアップリンク及び第２のｅＰＤＣＣＨのセットからの下りリンクのスケジューリングをしようとしている場合、そのネットワークノードは、そのメッセージが上りリンクのグラントメッセージである場合には第１のｅＰＤＣＣＨのセットを選択し、そのメッセージが下りリンクの割り当てメッセージである場合には第２のｅＰＤＣＣＨのセットを選択するだろう。別の選択基準は、スケジューリング優先度に応じた、様々なＵＥのスケジューリングでありうる。例えば、同一のサブフレームにおいてスケジューリングされる第１のＵＥ及び第２のＵＥに対して、第１のＵＥは、第２のＵＥより高いスケジューリング優先度を有しうる。第１のＵＥと第２のＵＥとの両方にとって、第１のｅＰＤＣＣＨのセットからスケジューリングされるのが最良でありうるが、第１のＵＥが第２のＵＥより高いスケジューリング優先度を有するため、第１のＵＥが第１のｅＰＤＣＣＨのセットからスケジューリングされ、第２のＵＥは、その結果として、第２のｅＰＤＣＣＨのセットからスケジューリングされる。これは、第２のＵＥにとっては準最適でありうるが、ネットワークの観点からは、第１のＵＥ及び第２のＵＥの両方が同一のサブフレームでスケジューリングされうるため、有利でありうる。
【００７３】
他の実施形態によれば、第１のネットワークノードは、干渉ネットワークノード１３０であり、第２のネットワークノードは、本方法を実行するネットワークノード１１０である。
【００７４】
他の実施形態によれば、第１の種類の信号及び第２の種類の信号は、セル固有参照信号（ＣＲＳ）である。それにより、ＣＲＳ信号の周囲にマッピングすることができる。
【００７５】
他の実施形態によれば、第１のｅＰＤＣＣＨのセットのリソースエレメントは、上りリンクのグラントの情報を含み、第２のｅＰＤＣＣＨのセットのリソースエレメントは下りリンクの割り当てを含む。上りリンクのグラントは、上りリンク伝送のためのスケジューリング情報である。下りリンクの割り当ては、下りリンク伝送のためのスケジューリング情報である。
【００７６】
他の実施形態によれば、設定メッセージは、無線リソース制御（ＲＲＣ）メッセージにおいて送信される６０６。設定メッセージを送信するための既存のメッセージ又はメッセージ構造を用いることにより、設定メッセージを送信するためのネットワークノードに対して、そして、設定メッセージを受信するためのＵＥに対して、なされなければならない変更はないか、ほんのわずかである。
【００７７】
図７は、本発明の実施形態による、ＵＥに対してｅＰＤＣＣＨを伝達するように構成される、無線通信ネットワークのネットワークノード７００を示している。ネットワークノードは、ＬＴＥネットワークのｅＮｏｄｅＢでありうる。ネットワークノード７００は、図５の低電力ネットワークノード１３０又は高電力ネットワークノード１１０でありうる。ネットワークノード７００は、ＵＥに対して設定メッセージを送信するための送信部７０２を有する。設定メッセージは、第１のｅＰＤＣＣＨのセットに属するリソースエレメントへのｅＰＤＣＣＨの第１のマッピングの表示（indication）を含み、ここで、第１のｅＰＤＣＣＨのセットのリソースエレメントは、第１の種類の信号に用いられるリソースエレメントと異なる。設定メッセージは、さらに、第２のｅＰＤＣＣＨのセットに属するリソースエレメントへのｅＰＤＣＣＨの第２のマッピングの表示（indication）を含み、ここで、第２のｅＰＤＣＣＨのセットのリソースエレメントは第２の種類の信号に用いられるリソースエレメントと異なり、それにより、ｅＰＤＣＣＨを、第１のｅＰＤＣＣＨのセット又は第２のｅＰＤＣＣＨのセットのリソースエレメントへと動的にマッピングすることを可能とする。
【００７８】
ネットワークノード７００は、さらに、無線ネットワークの他のノード又はＵＥから若しくは無線ネットワークの他のノード又はＵＥへ、又はその両方の通信のための従来の手段を有すると考えられうる、通信部７１０を有してもよい。ネットワークノード７００がｅＮｏｄｅＢである場合、通信部７１０は、１つ以上の送受信器などの、ＵＥと無線で通信するための無線通信部分を有しうる。ネットワークノード７００は、さらに、例えば通常のネットワークノード機能を与えるための、他の機能部（不図示）を有してもよい。ネットワークノード７００は、さらに、１つ以上の記憶部７１２を有してもよい。
【００７９】
送信部７０２、実行部７０４、及びトリガ部７０６は、装置７０１内に配置されうる。装置７０１は、例えば、上述の動作又は方法を実行するように構成された、プロセッサ又はマイクロプロセッサ及び適切なソフトウェア及びそのための記憶装置、プログラマブル論理装置（ＰＬＤ）又は他の電子コンポーネント／処理回路の１つ以上により、実行されうる。
【００８０】
実施形態によれば、ネットワークノード７００は、さらに、第１のｅＰＤＣＣＨのセットに属するリソースエレメントへのｅＰＤＣＣＨの第１のマッピングを実行し、第２のｅＰＤＣＣＨのセットに属するリソースエレメントへのｅＰＤＣＣＨの第２のマッピングを実行するための実行部７０４を含む。
【００８１】
他の実施形態によれば、設定メッセージは、第１のｅＰＤＣＣＨのセットのためのｅＰＤＣＣＨスタートシンボルの表示と、第２のｅＰＤＣＣＨのセットのためのｅＰＤＣＣＨスタートシンボルの表示とを含む。
【００８２】
他の実施形態によれば、表示されたｅＰＤＣＣＨスタートシンボルは、ネットワークノードによって送信されるべきパケットデータ共有チャネル（ＰＤＳＣＨ）のためにスケジューリングされたのと同一のスタートシンボルである。
【００８３】
他の実施形態によれば、セル固有参照信号（ＣＲＳ）アンテナポートの数、ＣＲＳ周波数シフト、スタート位置、マルチキャスト／ブロードキャスト単一周波数ネットワーク（ＭＢＳＦＮ）サブフレーム設定、ゼロ電力チャネル状態情報参照信号（ＣＳＩ−ＲＳ）リソース設定ＣＳＩ−ＲＳリソース設定のうちの１つ以上の設定パラメータが、ｅＰＤＣＣＨとパケットデータ共有チャネル（ＰＤＳＣＨ）との間で共有される。
【００８４】
他の実施形態によれば、ネットワークノード７００は、さらに、基準に従って、ＵＥへのｅＰＤＣＣＨのために、第１のｅＰＤＣＣＨのセット又は第２のｅＰＤＣＣＨのセットのうちの１つを選択する選択部７０６を有する。ネットワークノード７００は、さらに、選択されたセットに応じてｅＰＤＣＣＨをリソースエレメントに割り当てる割当部７０８を有する。さらに、送信部７０２は、割り当てられたｅＰＤＣＣＨをＵＥへ送信するように構成される。
【００８５】
他の実施形態によれば、第１の種類の信号は第１のネットワークノード１１０からの信号であり、第２の種類の信号は第２のネットワークノード１３０からの信号であり、選択基準は、第１のネットワークノードからの信号と第２のネットワークノードからの信号のうち、最も信号強度が強いものである。
【００８６】
図８は、図７に示されるネットワークノード７００における構成７０１の実施形態を開示する別の方法でもありうる、ネットワークノード７００での使用のための構成８００の実施形態を概略的に示している。構成８００に含まれるものは、例えばデジタルシグナルプロセッサ（ＤＳＰ）を伴う処理部８０６である。処理部８０６は、ここで説明される手順の様々な動作を実行するための単一のユニット又は複数のユニットでありうる。構成８００は、また、他のエンティティからの信号を受信するための入力部８０２と、他のエンティティへ信号を供給するための出力部８０４とを有しうる。入力部８０２及び出力部８０４は、集約されたエンティティとして構成されてもよい。
【００８７】
さらに、構成８００は、不揮発性の又は揮発性のメモリ、例えば電気的消去可能プログラマブル読み出し専用メモリ（ＥＥＰＲＯＭ）、フラッシュメモリ、ディスクドライブ又はランダムアクセスメモリ（ＲＡＭ）の形式での少なくとも１つのコンピュータプログラム媒体８０８を含む。コンピュータプログラム媒体８０８は、構成８００の処理部８０６において実行されるときに、その構成とネットワークノード７００との少なくともいずれかに、図６と併せて前に説明した手順のいずれかの動作を実行させるコード手段を含む、コンピュータプログラム８１０を有する。
【００８８】
コンピュータプログラム８１０は、コンピュータプログラムモジュールにおいて構成されるコンピュータプログラムコードとして構成されうる。したがって、例示の実施形態では、構成８００のコンピュータプログラム８１０におけるコード手段はＵＥへ設定メッセージを送信するための送信モジュール８１０ａを有する。設定メッセージは、第１のｅＰＤＣＣＨのセットに属するリソースエレメントへのｅＰＤＣＣＨの第１のマッピングの表示（indication）と、第２のｅＰＤＣＣＨのセットに属するリソースエレメントへのｅＰＤＣＣＨの第２のマッピングの表示（indication）とを含み、ここで、第１のｅＰＤＣＣＨのセットのリソースエレメントは第１の種類の信号に用いられるリソースエレメントと異なり、第２のｅＰＤＣＣＨのセットのリソースエレメントは第２の種類の信号に用いられるリソースエレメントと異なり、それにより、第１のｅＰＤＣＣＨのセット又は第２のｅＰＤＣＣＨのセットのリソースエレメントへのｅＰＤＣＣＨの動的なマッピングを可能とする。
【００８９】
コンピュータプログラムは、さらに、第１のｅＰＤＣＣＨのセットに属するリソースエレメントへのｅＰＤＣＣＨの第１のマッピングを実行するため、そして、第２のｅＰＤＣＣＨのセットに属するリソースエレメントへのｅＰＤＣＣＨの第２のマッピングを実行するための実行モジュール８１０ｂを有しうる。コンピュータプログラムは、さらに、基準に従って、ＵＥへのｅＰＤＣＣＨの送信のために、第１のｅＰＤＣＣＨのセット又は第２のｅＰＤＣＣＨのセットのうちの１つを選択するための選択モジュール８１０ｃを有してもよい。コンピュータプログラムは、さらに、選択されたセットに応じて、ｅＰＤＣＣＨをリソースエレメントに割り当てる割当モジュール８１０ｄを有してもよい。さらに、送信モジュール８１０ａは、割り当てられたｅＰＤＣＣＨをＵＥへ送信するように構成されうる。
【００９０】
図９において、無線通信ネットワークにおけるＵＥによって実行される、ネットワークノードと、ｅＰＤＣＣＨを通信するための方法について説明する。本方法は、ネットワークノードから設定メッセージを受信すること（９０２）を含む。設定メッセージは、第１のｅＰＤＣＣＨのセットに属するリソースエレメントへのｅＰＤＣＣＨの第１のマッピングの表示（indication）と、第２のｅＰＤＣＣＨのセットに属するリソースエレメントへのｅＰＤＣＣＨの第２のマッピングの表示（indication）とを含み、ここで、第１のｅＰＤＣＣＨのセットのリソースエレメントは第１の種類の信号に用いられるリソースエレメントと異なり、第２のｅＰＤＣＣＨのセットのリソースエレメントは第２の種類の信号に用いられるリソースエレメントと異なる。それにより、ＵＥは、ｅＰＤＣＣＨが第１のｅＰＤＣＣＨのセット又は第２のｅＰＤＣＣＨのセットのいずれかにおいて送信される場合に、後に受信されるｅＰＤＣＣＨを検出することができる。これは、ｅＰＤＣＣＨのＲＥへの動的割当を可能とする。
【００９１】
実施形態によれば、設定メッセージは、第１のｅＰＤＣＣＨのセットのためのｅＰＤＣＣＨスタートシンボルの表示と、第２のｅＰＤＣＣＨのセットのためのｅＰＤＣＣＨスタートシンボルの表示とを含む。
【００９２】
別の実施形態によれば、表示されたｅＰＤＣＣＨスタートシンボルは、ネットワークノードによって送信されるべきパケットデータ共有チャネル（ＰＤＳＣＨ）のためにスケジューリングされたのと同一のスタートシンボルである。
【００９３】
別の実施形態によれば、セル固有参照信号（ＣＲＳ）アンテナポートの数、ＣＲＳ周波数シフト、スタート位置、マルチキャスト／ブロードキャスト単一周波数ネットワーク（ＭＢＳＦＮ）サブフレーム設定、ゼロ電力チャネル状態情報参照信号（ＣＳＩ−ＲＳ）リソース設定ＣＳＩ−ＲＳリソース設定のうちの１つ以上の設定パラメータが、ｅＰＤＣＣＨとパケットデータ共有チャネル（ＰＤＳＣＨ）との間で共有される。
【００９４】
別の実施形態によれば、方法は、さらに、ネットワークノードから、第１のｅＰＤＣＣＨのセット及び第２のｅＰＤＣＣＨのセットのうちの選択されたものに対して割り当てられたｅＰＤＣＣＨを含むメッセージを受信すること（９０４）を含む。本方法は、さらに、第１のマッピングによるｅＰＤＣＣＨ候補を復号し、第２のマッピングによるｅＰＤＣＣＨ候補を復号すること（９０６）を含む。方法は、さらに、ｅＰＤＣＣＨが第１のｅＰＤＣＣＨのセット又は第２のｅＰＤＣＣＨのセットに割り当てられたかを検出すること（９０８）を含む。検出するステップ（９０８）は、複数の、例えば３つの、第１のセットにおける候補ＲＥと複数の第２のセットにおける候補ＲＥとを復号することにより行われうる。一致があった場合、ＵＥは、２つのセットのいずれがマッピングのために使用されたかを知ることができる。ＵＥは、さらに、メッセージがＵＥに宛てられたか否かを検出してもよい。この理由のため、ＵＥは、復調された候補のＲＥのそれぞれに対する１６ＣＲＣビットをＵＥ識別子に関連付けてもよい。一致があった場合、ＵＥは、ｅＰＤＣＣＨメッセージがそのＵＥに宛てられたことを知っている。
【００９５】
実施形態によれば、第１のｅＰＤＣＣＨのセットのリソースエレメントは上りリンクのグラントの情報を含み、第２のｅＰＤＣＣＨのセットのリソースエレメントは、下りリンクの割り当ての情報を含む。
【００９６】
実施形態によれば、設定メッセージはＲＲＣメッセージにおいて受信される（８０２）。
【００９７】
図１０は、ネットワークノードとｅＰＤＣＣＨを通信するように構成された、無線通信ネットワークにおけるＵＥ１０００を示している。ＵＥ１０００は、ネットワークノードから設定メッセージを受信するための受信部１００２を有する。設定メッセージは、ｅＰＤＣＣＨの、第１のｅＰＤＣＣＨのセットに属するリソースエレメントへの第１のマッピングの表示（indication）と、ｅＰＤＣＣＨの、第２のｅＰＤＣＣＨのセットに属するリソースエレメントへの第２のマッピングの表示（indication）とを含み、第１のｅＰＤＣＣＨのセットのリソースエレメントは第１の種類の信号に用いられるリソースエレメントと異なり、第２のｅＰＤＣＣＨのセットのリソースエレメントは第２の種類の信号に用いられるリソースエレメントと異なる。
【００９８】
ＵＥ１０００は、無線ネットワークのｅＮｏｄｅＢなどのネットワークノードから、そのネットワークノードへ、またはその両方の通信のための従来の手段を有するようにみなされうる通信部１０１０をさらに有しうる。通信部１０１０は、ネットワークノードと無線で通信するための、１つ以上の送受信器などの無線通信部分を有しうる。ＵＥ１０００は、さらに、一般的なネットワークノード機能などを提供するための他の機能部（不図示）を有してもよい。ＵＥ１０００は、さらに、１つ以上の記憶部１０１２を有してもよい。
【００９９】
受信部１００２、復号部１００４、及び検出部１００６は、装置１００１内に配置されうる。装置１００１は、例えば、上述の動作又は方法を実行するように構成された、プロセッサ又はマイクロプロセッサ及び適切なソフトウェア及びそのための記憶装置、プログラマブル論理装置（ＰＬＤ）又は他の電子コンポーネント／処理回路の１つ以上により、実行されうる。
【０１００】
実施形態によれば、設定メッセージは、第１のｅＰＤＣＣＨのセットのためのｅＰＤＣＣＨスタートシンボルの表示と、第２のｅＰＤＣＣＨのセットのためのｅＰＤＣＣＨスタートシンボルの表示とを含む。
【０１０１】
別の実施形態によれば、表示されたｅＰＤＣＣＨスタートシンボルは、ネットワークノードによって送信されるべきパケットデータ共有チャネル（ＰＤＳＣＨ）のためにスケジューリングされたのと同一のスタートシンボルである。
【０１０２】
別の実施形態によれば、セル固有参照信号（ＣＲＳ）アンテナポートの数、ＣＲＳの周波数シフト、スタート位置、マルチキャスト／ブロードキャスト単一周波数ネットワーク（ＭＢＳＦＮ）サブフレーム設定、ゼロ電力チャネル状態情報参照信号（ＣＳＩ−ＲＳ）リソース設定ＣＳＩ−ＲＳリソース設定のうちの１つ以上の設定パラメータが、ｅＰＤＣＣＨとパケットデータ共有チャネル（ＰＤＳＣＨ）との間で共有される。
【０１０３】
別の実施形態によれば、受信部１００２は、さらに、ネットワークノードから、第１のｅＰＤＣＣＨのセットと第２のｅＰＤＣＣＨのセットのうちの選択された１つに対して割り当てられたｅＰＤＣＣＨを含むメッセージを受信するように構成される。ＵＥ１０００は、さらに、第１のマッピングによるｅＰＤＣＣＨの候補を復号し、第２のマッピングによるｅＰＤＣＣＨの候補を復号するための復号部１００４を有する。ＵＥ１０００は、さらに、第１のｅＰＤＣＣＨのセット又は第２のｅＰＤＣＣＨのセットにｅＰＤＣＣＨが割り当てられたかを検出するための検出部１００６を有する。
【０１０４】
別の実施形態によれば、第１のｅＰＤＣＣＨのセットのリソースエレメントは、上りリンクのグラントの情報を含み、第２のｅＰＤＣＣＨのセットのリソースエレメントは下りリンクの割り当ての情報を含む。
【０１０５】
別の実施形態によれば、受信部１００２は、さらに、ＲＲＣメッセージにおいて設定メッセージを受信するように構成される。
【０１０６】
図１１は、図１０に示されたＵＥ１０００における構成１００１の実施形態を示す別の方法でもありうる、ＵＥ１０００での使用のための構成１１００の実施形態を概略的に示している。構成１１００に含まれるものは、例えばデジタルシグナルプロセッサ（ＤＳＰ）を伴う処理部１１０６である。処理部１１０６は、ここで説明された手順の様々な動作を実行するための単一のユニット又は複数のユニットでありうる。構成１１００は、他のエンティティからの信号を受信するための入力部１１０２と、他のエンティティへ信号を供給するための出力部１１０４とを有してもよい。入力部１１０２及び出力部１１０４は、集約されたエンティティとして構成されてもよい。
【０１０７】
さらに、構成１１００は、不揮発性の又は揮発性のメモリ、例えば電気的消去可能プログラマブル読み出し専用メモリ（ＥＥＰＲＯＭ）、フラッシュメモリ、ディスクドライブ又はランダムアクセスメモリ（ＲＡＭ）の形式での少なくとも１つのコンピュータプログラム媒体１１０８を含む。コンピュータプログラム媒体１１０８は、構成１１００の処理部１１０６において実行されるときに、その構成とＵＥ１０００との少なくともいずれかに、図９と併せて前に説明した手順のいずれかの動作を実行させるコード手段を含む、コンピュータプログラム１１１０を有する。
【０１０８】
コンピュータプログラム１１１０は、コンピュータプログラムモジュールにおいて構成されるコンピュータプログラムコードとして構成されうる。したがって、例示の実施形態では、構成１１００のコンピュータプログラム１１１０におけるコード手段はネットワークノードから設定メッセージを受信する受信手段１１１０ａを含み、設定メッセージは、第１のｅＰＤＣＣＨのセットに属するリソースエレメントへのｅＰＤＣＣＨの第１のマッピングの表示（indication）と、第２のｅＰＤＣＣＨのセットに属するリソースエレメントへのｅＰＤＣＣＨの第２のマッピングの表示（indication）とを含み、ここで、第１のｅＰＤＣＣＨのセットのリソースエレメントは第１の種類の信号に用いられるリソースエレメントと異なり、第２のｅＰＤＣＣＨのセットのリソースエレメントは第２の種類の信号に用いられるリソースエレメントと異なる。
【０１０９】
コンピュータプログラムは、さらに、第１のｅＰＤＣＣＨのセットと第２のｅＰＤＣＣＨのセットとのうちの選択された１つに割り当てられたｅＰＤＣＣＨを含むメッセージをネットワークノードから受信するための受信モジュール１１１０ｂを含みうる。ＵＥのコンピュータプログラムは、さらに、第１のマッピングに従ってｅＰＤＣＣＨの候補を復号し、また、第２のマッピングに従ってｅＰＤＣＣＨの候補を復号するための復号モジュール１１１０ｃを含んでもよい。コンピュータプログラムは、さらに、ｅＰＤＣＣＨが第１のｅＰＤＣＣＨのセットと第２のｅＰＤＣＣＨのセットとのいずれに割り当てられたかを検出するための検出モジュール１１１０ｄを含んでもよい。
【０１１０】
図１２は、無線通信ネットワークのネットワークノードによって実行される、ｅＰＤＣＣＨをＵＥへ伝達するための方法について説明している。本方法は、多数のＰＤＳＣＨのセットのＲＥへのマッピングの表示を伴う設定メッセージを、ＵＥへ送信すること（１２０２）を含む。本方法は、さらに、ｅＰＤＣＣＨの第１のセットのＲＥへのマッピングの表示を伴う設定メッセージを、ＵＥへ送信すること（１２０４）を含み、ｅＰＤＣＣＨの第１のセットのＲＥへのマッピングは、複数のＰＤＳＣＨのセットのＲＥへのマッピングの１つと同一である。本方法は、さらに、ｅＰＤＣＣＨを第１のセットのＲＥへ割り当てること（１２０６）を含む。本方法は、さらに、ＵＥへ、割り当てられたｅＰＤＣＣＨを送信すること（１２０８）を含む。
【０１１１】
図１３は、無線通信ネットワークのＵＥによって実行される、ネットワークノードとｅＰＤＣＣＨを通信するための方法について説明している。本方法は、複数のＰＤＳＣＨのセットのＲＥへのマッピングの表示を伴う設定メッセージを、ネットワークノードから受信すること（１３０２）を含む。本方法は、さらに、ｅＰＤＣＣＨの第１のセットのＲＥへのマッピングの表示を伴う設定メッセージを、ネットワークノードから受信すること（１３０４）を含み、ｅＰＤＣＣＨの第１のセットのＲＥへのマッピングは、複数のＰＤＳＣＨのセットのＲＥへのマッピングの１つと同一である。本方法は、さらに、第１のｅＰＤＣＣＨのセットに割り当てられたｅＰＤＣＣＨを含むメッセージをネットワークノードから受信すること（１３０６）を含む。本方法は、さらに、受信された第１のｅＰＤＣＣＨのセットにしたがって、受信されたメッセージを復号すること（１３０８）を含む。
【０１１２】
本発明について、２つの異なるマッピング及び２つの異なるｅＰＤＣＣＨのセットに関連して説明した。当然ながら、２つより多くの異なるマッピング及び２つより多くの異なるｅＰＤＣＣＨのセットを使用することもできる。
【０１１３】
当業者には、本発明の範囲から逸脱することなく、様々な変更が上述された実施形態に対してなされうることが理解されるだろう。例えば、上述の実施形態はＬＴＥネットワークの一部を参照して説明されているが、本発明の実施形態は、同様の機能要素を有するＬＴＥネットワークの後継、又はＷｉＭａｘ（ＩＥＥＥ８０２．１６）ネットワークなどの、同様のネットワークにも適用可能であることが直ちに理解されるだろう。したがって、具体的には、用語ＬＴＥおよび上述の説明及び添付の図面並びに添付の特許請求の範囲において又は将来に用いられる、関連した又は関係する用語は、そのように解釈されるべきである。
【０１１４】
本詳解において、説明のためであって限定を目的としたものでなく、本発明の特定の実施形態の具体的な詳細について説明した。当業者には、これらの具体的な詳細から離れた別の実施形態が採用されうることが理解されるだろう。さらに、いくつかの例では、周知の方法、ノード、インタフェース、回路及び装置の詳細な説明については、不必要な詳細によって説明をあいまいとすることがないように、省略されている。当業者は、１つ又はいくつかのノードにおいて説明された機能が実装されうることを理解するだろう。説明された機能のいくつかまたは全部が、専門の機能を実行するために相互接続されたアナログの若しくは離散の又はその両方の論理ゲート、ＡＳＩＣ、ＰＬＡなどのハードウェア回路を用いて実装されうる。同様に、その機能のいくつかまたは全部が、１つ以上のデジタルマイクロプロセッサ又は汎用コンピュータと併せてソフトウェアプログラム及びデータを用いて実装されうる。エアインタフェースを用いて通信するノードが説明されている箇所では、それらのノードが適切な無線通信回路を有することが理解されるだろう。さらに、本技術は、追加的に、プロセッサにここで説明された技術を実行させることとなるコンピュータ命令の適切なセットを含んでいる、ソリッドステートメモリ、磁気ディスク、又は光学ディスクなどの非一時的な態様を含む、任意の形式のコンピュータ可読メモリ内に全体が実装されると考えられてもよい。
【０１１５】
ハードウェア実装は、デジタルシグナルプロセッサ（ＤＳＰ）ハードウェア、縮小命令セットプロセッサ、特定用途向け集積回路（ＡＳＩＣ）と、フィールドプログラマブルゲートアレイ（ＦＰＧＡ）との少なくともいずれかを含むが限定されないハードウェア（例えば、デジタル又はアナログの）回路、及び（適切な場合）このような機能を実行することができるステートマシーンを、制限なく、含み、包含しうる。
【０１１６】
コンピュータ実装に関して、コンピュータは、一般的に、１つ以上のプロセッサ又は１つ以上のコントローラを含むと理解され、用語コンピュータ、プロセッサ及びコントローラが同じ意味で採用されうる。コンピュータ、プロセッサ又はコントローラによって提供される際には、単一の個別のコンピュータ若しくはプロセッサ若しくはコントローラによって、単一の共用のコンピュータ若しくはプロセッサ若しくはコントローラによって、又はそれらのいくつかが共有され又は分散されうる複数の個別のコンピュータ若しくはプロセッサ若しくはコントローラによって、機能が提供されうる。さらに、用語「プロセッサ」又は「コントローラ」は、上で挙げた例示のハードウェアなどの、そのような機能を実行することとソフトウェアを実行することとの少なくともいずれかが可能なハードウェアを参照する。
【０１１７】
上では、本発明のいくつかの実施形態の例について、特定の実施形態の添付の図解を参照して詳細に説明した。当然ながら、要素または技術のすべての考えうる組み合わせを説明することは可能ではないから、当業者は、ここで具体的に説明されたもの以外の方法で、本発明の基本的な特徴から離れることなく、本発明が実装されうることを理解するだろう。このように、提示した実施形態は、全ての点で、説明のためのものとして理解されるべきであり、制限をかけるものと見做されるべきではない。
【図１】
2015530846.tif 000003
【図２】
2015530846.tif 000004
【図３】
2015530846.tif 000005
【図４】
2015530846.tif 000006
【図５】
2015530846.tif 000007
【図６】
2015530846.tif 000008
【図７】
2015530846.tif 000009
【図８】
2015530846.tif 000010
【図９】
2015530846.tif 000011
【図１０】
2015530846.tif 000012
【図１１】
2015530846.tif 000013
【図１２】
2015530846.tif 000014
【図１３】
2015530846.tif 000015
【国際調査報告】
2015530846.tif 000016
2015530846.tif 000017
2015530846.tif 000018